(57)【要約】【課題】  吐出部をベース体に着脱可能にし、吐出部を所望の数だけ使用できるようにして、汎用性を向上させる。【解決手段】  グリスを収容する収容室２を有し収容室２に連通する連通口部４を備えたベース体１と、ベース体１の収容室２に連通しグリスを吸入する吸入口１１及びグリスを吐出する吐出口１２を備えるとともに吸入されたグリスを収納するシリンダ室１３を有した吐出部本体１４を備えた吐出部１０と、吐出部１０のシリンダ室１３に対し進退動可能に設けられ進出時にシリンダ室１３内のグリスを押し出して吐出口１２から吐出させ退出時に収容室２のグリスを吸入口１１から吸入させるピストン２０と、ピストン２０を進退動させる駆動部３０とを備え、吐出部１０及びピストン２０の組を複数組備えるとともに、ベース体１に吐出部１０を着脱可能にし、吐出部１０を連通口部４から外したときピストン２０が連通口部４内で遊動しうる閉塞体４０を取付可能にした。【選択図】図７
2010065619.tif 000002
【特許請求の範囲】
【請求項１】
グリスが充填されるグリスタンクが取り付けられ該グリスタンクからのグリスが流入し該流入したグリスを収容する収容室を有したベース体と、該ベース体に設けられ該ベース体の収容室に連通し該収容室からのグリスを吸入する吸入口及びグリスを吐出する吐出口を備えるとともに該吸入口及び吐出口の間に設けられ該吸入口からのグリスを収納するシリンダ室を有した吐出部と、上記吐出部のシリンダ室に対し進退動可能に設けられ進出時に該シリンダ室内のグリスを押し出して上記吐出口から吐出させ退出時に上記収容室のグリスを吸入口からシリンダ室内に吸入させるピストンと、該ピストンを進退動させる駆動部とを備えるとともに、上記吐出部及びピストンの組を各ピストンの軸線が平行になるように複数組備えたグリスポンプ装置において、
上記吐出部を、一端に吸入口を有し他端に吐出口を有するとともに、該吸入口及び吐出口の間にシリンダ室を有した吐出部本体を備えて構成し、該吐出部本体の一端側外側に雄ネジを形成し、上記ベース体の一側面に上記雄ネジが螺合する雌ネジが形成され上記収容室に連通する連通口部を設け、該ベース体の雌ネジに対する上記吐出部本体の雄ネジの螺合及び螺合解除により上記吐出部を上記ベース体に着脱可能にし、上記吐出部を上記連通口部から外したとき該連通口部に螺合し上記ピストンが該連通口部内で遊動しうる閉塞体を取付可能にしたことを特徴とするグリスポンプ装置。
【請求項２】
上記吐出部の吸入口側内部に、上記ピストンが摺動する弾性リングを嵌着し、上記吐出部の吐出口側内部に、上記シリンダ室からのグリスの吐出のみを許容するチェック弁を設けたことを特徴とする請求項１記載のグリスポンプ装置。
【請求項３】
上記複数のピストンを、その軸線が上記収容室を貫通し上記連通口部に進入するように上記ベース体の他側面側に形成した摺動孔に移動可能に支持したことを特徴とする請求項１または２記載のグリスポンプ装置。
【請求項４】
上記駆動部を、上記複数のピストンの基端が付帯される一つの板状部材と、該板状部材を上記ピストンの進出方向に付勢するスプリングと、励磁時に上記スプリングの付勢力に抗して上記板状部材を上記ピストンの退出方向に引張し非励磁時に上記スプリングの付勢力により上記板状部材を上記ピストンの進出方向に移動させるソレノイドとを備えて構成したことを特徴とする請求項１乃至３何れかに記載のグリスポンプ装置。
【請求項５】
上記板状部材の進退動動作を検知する検知装置を設けたことを特徴とする請求項４記載のグリスポンプ装置。
【発明の詳細な説明】
【技術分野】
【０００１】
本発明は、工作機械や産業機械等にグリスを供給するグリスポンプ装置に係り、特に、グリスを吐出する吐出口を複数備えたグリスポンプ装置に関する。
【背景技術】
【０００２】
従来、この種のグリスポンプ装置としては、例えば、特許文献１（ＷＯ２００５／１０８８４９号公報）に記載されたものが知られている。図９に示すように、このグリスポンプ装置Ｓａは、グリスが充填されるグリスタンクＴａが取り付けられグリスタンクＴａからのグリスが流入しこの流入したグリスを収容する収容室１０１を有したベース体１００と、ベース体１００に一体に設けられベース体１００の収容室１０１に連通しこの収容室１０１からのグリスを吸入する吸入口１１１及びグリスを吐出する吐出口１１２を備えるとともに吸入口１１１及び吐出口１１２の間に設けられ吸入口１１１からのグリスを収納するシリンダ室１１３を有した吐出部１１０と、吐出部１１０のシリンダ室１１３に対し進退動可能に設けられ進出時にシリンダ室１１３内のグリスを押し出して吐出口１１２から吐出させ退出時に収容室１０１のグリスを吸入口１１１からシリンダ室１１３内に吸入させるピストン１２０と、ピストン１２０を進退動させる駆動部１３０とを備えるとともに、吐出部１１０及びピストン１２０の組を各ピストン１２０の軸線１２１が平行になるように複数組備えて構成されている。
【０００３】
このグリスポンプ装置Ｓａのベース体１００にグリスタンクＴａを取り付けると、グリスタンクＴａからグリスが収容室１０１に流入して収容される。この状態で、駆動部１３０により各ピストン１２０を退出方向に移動させると、収容室１０１内に収容されていたグリスが吸入口１１１から各シリンダ室１１３内に吸入されるようになり、吸入されたグリスが各シリンダ室１１３内に収納される。各シリンダ室１１３にグリスが収納された後、駆動部１３０により各ピストン１２０を進出方向に移動させると、各ピストン１２０が各シリンダ室１１３内に進入し、各シリンダ室１１３内のグリスが押し出されて、各吐出口１１２からグリスが吐出される。これにより、シリンダ室１１３内に収納された量だけグリスを吐出させることができるので、所定量のグリスを吐出させることができる。また、吐出部１１０を複数備えているので、一度に複数の個所にグリスを吐出させることができ、そのため、給油効率が向上する。
【０００４】
【特許文献１】ＷＯ２００５／１０８８４９号公報
【発明の開示】
【発明が解決しようとする課題】
【０００５】
しかしながら、この従来のグリスポンプ装置Ｓａにおいては、使用したくない吐出部１１０の吐出口１１２を閉塞することができず、そのため、吐出部１１０を必要な数だけ使用することができないという問題があった。その理由は、使用したくない吐出部１１０の吐出口１１２を閉塞すると、吐出部１１０がベース体１００に一体に設けられているため、閉塞した吐出部１１０においては、ピストン１２０がシリンダ室１１３に進入してシリンダ室１１３の容積を可変させることができず、グリスを押し出して吐出させることができないことから、ピストン１２０が停止させられ、装置が故障する原因になるからである。
【０００６】
本発明は、このような問題点に鑑みてなされたもので、吐出部をベース体に着脱可能にし、吐出部を所望の数だけ使用できるようにして、汎用性を向上させたグリスポンプ装置を提供することを目的とする。
【課題を解決するための手段】
【０００７】
このような目的を達成するため、本発明のグリスポンプ装置は、グリスが充填されるグリスタンクが取り付けられ該グリスタンクからのグリスが流入し該流入したグリスを収容する収容室を有したベース体と、該ベース体に設けられ該ベース体の収容室に連通し該収容室からのグリスを吸入する吸入口及びグリスを吐出する吐出口を備えるとともに該吸入口及び吐出口の間に設けられ該吸入口からのグリスを収納するシリンダ室を有した吐出部と、上記吐出部のシリンダ室に対し進退動可能に設けられ進出時に該シリンダ室内のグリスを押し出して上記吐出口から吐出させ退出時に上記収容室のグリスを吸入口からシリンダ室内に吸入させるピストンと、該ピストンを進退動させる駆動部とを備えるとともに、上記吐出部及びピストンの組を各ピストンの軸線が平行になるように複数組備えたグリスポンプ装置において、上記吐出部を、一端に吸入口を有し他端に吐出口を有するとともに、該吸入口及び吐出口の間にシリンダ室を有した吐出部本体を備えて構成し、該吐出部本体の一端側外側に雄ネジを形成し、上記ベース体の一側面に上記雄ネジが螺合する雌ネジが形成され上記収容室に連通する連通口部を設け、該ベース体の雌ネジに対する上記吐出部本体の雄ネジの螺合及び螺合解除により上記吐出部を上記ベース体に着脱可能にし、上記吐出部を上記連通口部から外したとき該連通口部に螺合し上記ピストンが該連通口部内で遊動しうる閉塞体を取付可能にした構成としている。
【０００８】
これにより、このグリスポンプ装置でグリスを吐出させるときは、駆動部により、先ず、各ピストンを退出方向に移動させる。この場合、収容室内に収容されていたグリスが吸入口から各シリンダ室内に吸入されるようになり、吸入されたグリスが各シリンダ室内に収納される。次に、各シリンダ室にグリスが収納された後、駆動部により各ピストンを進出方向に移動させると、各ピストンが各シリンダ室内に進入され、各シリンダ室内のグリスが押し出されて、各吐出口からグリスが吐出される。これにより、シリンダ室内に収納された量だけグリスを吐出させることができるので、所定量のグリスを吐出させることができる。また、吐出部を複数備えているので、一度に複数の個所にグリスを吐出させることができ、そのため、給油効率が向上する。
【０００９】
また、本装置に設けられた吐出部の数よりも少ない箇所にグリスを吐出させる場合は、使用したくない吐出部本体をベース体から取り外し、取り外した連通口部に閉塞体を螺合させて取り付ける。そして、上記と同様に駆動部により、ピストンを進退動させると、吐出部本体の吐出口からのみグリスが吐出され、閉塞体からはグリスが吐出されないようになる。このとき、閉塞体に対応するピストンは、連通口部内で遊動するので、グリスが吐出されなくても、ピストンは進退動することができ、そのため、装置が故障する等の事態を防止することができる。即ち、吐出部本体と閉塞体とをベース体に交換可能にしたので、吐出部が所望の数だけ使用できるようになり、そのため、汎用性が向上する。
【００１０】
そして、必要に応じ、上記吐出部の吸入口側内部に、上記ピストンが摺動する弾性リングを嵌着し、上記吐出部の吐出口側内部に、上記シリンダ室からのグリスの吐出のみを許容するチェック弁を設けた構成としている。これにより、シリンダ室内にグリスが収納された後、ピストンをシリンダ室に進入させると、グリスがピストンによって押し出され、その圧力によってチェック弁が開いて吐出口からグリスが吐出される。また、ピストンがシリンダ室から退出するとチェック弁が閉じて吐出口からシリンダ室にグリスが逆流して流入する事態を防止する。更に、吸入口側内部に弾性リングを嵌着したので、ピストンの進退動時に、ピストンが弾性リングに摺動し、ピストンと弾性リングとでシリンダ室をシールするようになり、そのため、シリンダ室内のグリスが吸入口から漏れ出る事態を防止することができる。
【００１１】
また、必要に応じ、上記複数のピストンを、その軸線が上記収容室を貫通し上記連通口部に進入するように上記ベース体の他側面側に形成した摺動孔に移動可能に支持した構成としている。これにより、ピストンがベース体側に支持されるので、吐出部本体とピストンとが別体となり、そのため、吐出部本体及び閉塞体の交換が容易になる。
【００１２】
更に、必要に応じ、上記駆動部を、上記複数のピストンの基端が付帯される一つの板状部材と、該板状部材を上記ピストンの進出方向に付勢するスプリングと、励磁時に上記スプリングの付勢力に抗して上記板状部材を上記ピストンの退出方向に引張し非励磁時に上記スプリングの付勢力により上記板状部材を上記ピストンの進出方向に移動させるソレノイドとを備えた構成としている。これにより、ソレノイドに通電して励磁させると、このソレノイドによって板状部材がピストンの退出方向に引張されて移動する。また、ソレノイドへの通電を停止して非励磁にさせると、スプリングの付勢力によって板状部材がピストンの進出方向に移動する。このとき、一つの板状部材に複数のピストンが付帯されているので、この板状部材の進退動により、複数のピストンが同時に進退動する。即ち、複数のピストンを一度に進退動させることができるので、駆動部を簡易に構成することができる。
【００１３】
更にまた、必要に応じ、上記板状部材の進退動動作を検知する検知装置を設けた構成としている。これにより、ピストンの進退動を毎回検知するので、確実にグリスが吐出されていることを認知することができる。また、複数のピストンが一つの板状部材に付帯されているので、板状部材の進退動動作を検知することにより、全てのピストンの検知を一度に行なうことができる。更に、板状部材の進退動回数を積算した場合、一度のグリスの吐出量は一定であるため、グリスの総吐出量を認知することができ、このことから、グリスタンク内のグリスの残量を認知することができる。
【発明の効果】
【００１４】
本発明のグリスポンプ装置によれば、ピストンを退出方向に移動させてグリスを吐出部のシリンダ室内に収納させ、その後、ピストンを進出方向に移動させて吐出部のシリンダ室内に進入させ、シリンダ室内のグリスを押し出して吐出口からグリスを吐出させる。本装置のピストンと吐出部との組は複数備えられており、吐出部の数よりも少ない箇所にグリスを吐出させる場合は、使用したくない吐出部本体をベース体から取り外し、閉塞体を取り付ける。そして、上記と同様に駆動部により、ピストンを進退動させると、吐出部本体の吐出口からのみグリスが吐出され、閉塞体からはグリスが吐出されないようになる。このとき、閉塞体に対応するピストンは、連通口部内で遊動するので、グリスが吐出されなくても、ピストンは進退動することができ、そのため、装置が故障する等の事態を防止することができる。即ち、吐出部本体と閉塞体とをベース体に交換可能にしたので、吐出部が所望の数だけ使用できるようになり、そのため、汎用性が向上する。
【発明を実施するための最良の形態】
【００１５】
以下、添付図面に基づいて本発明の実施の形態に係るグリスポンプ装置を説明する。
図１乃至図７には、本発明の実施の形態に係るグリスポンプ装置Ｓを示している。このグリスポンプ装置Ｓには、図２に示すような、グリスタンクＴが取り付けられる。このグリスタンクＴは、グリスが充填されるもので、容器本体５０と、取付口部５１とを備えてなる。
【００１６】
本発明の実施の形態に係るグリスポンプ装置Ｓは、グリスタンクＴが取り付けられグリスタンクＴからのグリスが流入し流入したグリスを収容する収容室２を有したベース体１と、ベース体１に設けられベース体１の収容室２に連通し収容室２からのグリスを吸入する吸入口１１及びグリスを吐出する吐出口１２を備えるとともに吸入口１１及び吐出口１２の間に設けられ吸入口１１からのグリスを収納するシリンダ室１３を有した吐出部１０と、吐出部１０のシリンダ室１３に対し進退動可能に設けられ進出時にシリンダ室１３内のグリスを押し出して吐出口１２から吐出させ退出時に収容室２のグリスを吸入口１１からシリンダ室１３内に吸入させるピストン２０と、ピストン２０を進退動させる駆動部３０とを備えて構成されている。一つの吐出部１０と一つのピストン２０とを１組とし、この組を各ピストン２０の軸線２１が平行になるように複数組備えている。実施の形態では、６組備えている。
【００１７】
ベース体１は、図１乃至図３，図６及び図７に示すように、一側面３に、雌ネジ８が形成され収容室２に連通する連通口部４が設けられている。また、他側面５側には、ピストン２０を、その軸線２１方向に移動可能に支持する摺動孔６が形成されている。更に、上面７に、グリスタンクＴの取付口部５１が取り付けられており、このグリスタンクＴを保護するための着脱可能なカバー５２が設けられている。
また、収容室２は、図２に示すように、ベース体１内部に設けられ、グリスタンクＴの取付口部５１と連通し、略逆Ｕ字形に形成されている。
【００１８】
吐出部１０は、図１，図３，図４，図６及び図７に示すように、円筒状に形成され、一端に吸入口１１を有し他端に吐出口１２を有するとともに、吸入口１１及び吐出口１２の間にシリンダ室１３を有した吐出部本体１４を備えて構成されている。この吐出部本体１４の一端側外側には、ベース体１の一側面３に形成された雌ネジ８に螺合する雄ネジ１７が形成されており、ベース体１の雌ネジ８に対する吐出部本体１４の雄ネジ１７の螺合及び螺合解除により吐出部１０をベース体１に着脱可能にしている。また、吐出部１０の吸入口１１側内部には、ピストン２０が摺動する弾性リング１５が嵌着されている。実施の形態では、弾性リング１５として、Ｖリングを用いている。更に、吐出部１０の吐出口１２側内部には、シリンダ室１３からのグリスの吐出のみを許容するチェック弁１６が設けられている。このチェック弁１６は、シリンダ室１３内のグリスをシリンダ室１３内に留める閉位置とシリンダ室１３内から吐出させる開位置とに移動する弁体１６ａと、弁体１６ａを閉位置に付勢するスプリング１６ｂとで構成されている。
また、吐出部１０としては、種々の吐出量のものが用意され、適宜に選択される。この吐出量は、吐出部１０のシリンダ室１３の容積と同じである。本実施の形態では、シリンダ室１３の容積を、０．０１ｍｌになるように形成したものを選択している。
【００１９】
また、本実施の形態では、吐出部１０をベース体１の連通口部４から外したとき、連通口部４の雌ネジ８に螺合しピストン２０が連通口部４内で遊動しうる閉塞体４０を取り付けることが可能である。この閉塞体４０は、図５及び図７に示すように、カップ状に形成されてピストンが遊動しうる凹所４１が形成され、連通口部４の雌ネジ８に螺合する雄ネジ４３が形成されている。また、この閉塞体４０の頭部４２は、六角レンチが係合する形状に形成されている。
【００２０】
ピストン２０は、図１，図６及び図７に示すように、吐出部１０のシリンダ室１３の内壁に摺動する径の円柱状に形成されている。このピストン２０は、軸線２１が収容室２を貫通して先端２２側が連通口部４に進入するようにベース体１の摺動孔６に支持されている。また、このピストン２０の基端２３は、後述の板状部材３１に付帯されている。
【００２１】
駆動部３０は、図１，図６及び図７に示すように、６つのピストン２０の基端２３が付帯される一つの板状部材３１と、板状部材３１をピストン２０の進出方向に付勢するスプリング３２と、励磁時にスプリング３２の付勢力に抗して板状部材３１をピストン２０の退出方向に引張し非励磁時にスプリング３２の付勢力により板状部材３１をピストン２０の進出方向に移動させるソレノイド３３とを備えて構成されている。この駆動部３０は、ベース体１に設けられる断面コ字状の容器３４の内部に収納されている。ソレノイド３３への通電，非通電は、例えば、このグリスポンプ装置Ｓが取り付けられる機械側の制御部やコントローラからの指令により行なわれる。
【００２２】
板状部材３１は、円盤状に形成され、これにピストン２０が等間隔で６つ付帯されている。この板状部材３１は、ソレノイド３３に接続されている仲介部材３５に接続されている。
スプリング３２は、板状部材３１の一方面３１ａに当接して設けられており、板状部材３１の一方面３１ａをその付勢力によって押圧して、ソレノイド３３の非励磁時に板状部材３１をピストン２０の進出方向に移動させる。
【００２３】
また、容器３４内部には、板状部材３１の進退動動作を検知する検知装置３６が設けられている。この検知装置３６は、図１に示すように、リミットスイッチで構成され、ソレノイド３３の固定板３３ａに取り付けられており、ソレノイド３３によって進退動する板状部材３１によりＯＮ，ＯＦＦさせられて、検知信号を送出する。この検知信号は、例えば、このグリスポンプ装置Ｓが取り付けられる機械側の制御部やコントローラにおいて、板状部材３１を介して各ピストン２０の進退動動作が正常に行なわれていることを認知し、あるいはこの検知信号を計数し、例えば、グリスの総吐出量やグリスタンクＴ内のグリスの残量を認知できるようになっている。
【００２４】
従って、このグリスポンプ装置Ｓを用いて、グリスを吐出させるときは、以下のようにする。先ず、複数の連通口部４の全てに吐出部１０を取り付け、全ての連通口部４からグリスを吐出させる場合について説明する。
先ず、所望の吐出量の吐出部１０を選択し、この吐出部１０を構成する吐出部本体１４の雄ネジ１７をベース体１の連通口部４の雌ネジ８に螺合させて取り付ける。本実施の形態では、吐出量が０．０１ｍｌの吐出部１０を選択しているが、必ずしもこれに限定されず、また、複数の連通口部４に取り付ける吐出部１０を、夫々異なる吐出量のものとしても良い。
【００２５】
また、グリスタンクＴの装着は、ベース体１からカバー５２を取り外し、グリスタンクＴをその取付口部５１においてベース体１に取り付け、それから、ベース体１にカバー５２を取り付けて行なう。これにより、グリスタンクＴ内に充填されているグリスが取付口部５１を通過してベース体１の収容室２内に流入可能になる。
【００２６】
グリスポンプ装置Ｓを作動させるときは、例えば、このグリスポンプ装置Ｓが取り付けられる機械側の制御部やコントローラからの指令により駆動部３０のソレノイド３３の通電，非通電により行なう。詳しくは、図６（Ａ）に示すように、ソレノイド３３に通電して励磁させると、このソレノイド３３によって仲介部材３５がピストン２０の退出方向に引張されて移動する。仲介部材３５が引張されると、仲介部材３５に接続されている板状部材３１が引張され、板状部材３１に付帯されている各ピストン２０が一斉に退出方向に移動する。そして、各ピストン２０の先端２２が連通口部４から退出すると、収容室２内に収容されていたグリスが吸入口１１から各吐出部１０のシリンダ室１３内に吸入されるようになり、吸入されたグリスが各シリンダ室１３内に収納される。このとき、吐出部１０の吐出口１２側に設けられたチェック弁１６の弁体１６ａはスプリング１６ｂの付勢力によって閉位置に位置されているので、吐出口１２からシリンダ室１３内にグリスが逆流して流入する事態が防止される。
【００２７】
各シリンダ室１３内にグリスが収納された後は、図６（Ｂ）に示すように、ソレノイド３３への通電を停止して非励磁にさせる。これにより、ソレノイド３３によるスプリング３２の抗力がなくなるので、スプリング３２が板状部材３１の一方面３１ａをその付勢力によって押圧して、板状部材３１及び仲介部材３５をピストン２０の進出方向に移動させ、板状部材３１に付帯されている各ピストン２０が一斉に進出方向に移動する。そして、各ピストン２０の先端２２が各吐出部１０のシリンダ室１３内に進入すると、各シリンダ室１３内に収納されているグリスが押し出され、その圧力によってスプリング１６ｂの付勢力に抗してチェック弁１６の弁体１６ａが開位置に移動し、各吐出口１２からグリスが吐出される。この状態では、ピストン２０と弾性リング１５により吸入口１１をシールするので、収容室２内のグリスはシリンダ室１３内に収納されなくなる。
【００２８】
これにより、シリンダ室１３内に収納された量だけグリスを吐出させることができるので、所定量のグリスを吐出させることができる。また、吐出部１０を複数備えているので、一度に複数の個所にグリスを吐出させることができ、そのため、給油効率が向上する。
【００２９】
このように、ソレノイド３３の通電，非通電により、グリスを吐出させた後、再びピストン２０を退出させてシリンダ室１３にグリスを収納させ、その後、ピストン２０を進出させてグリスを吐出させる。このような動作を繰り返し行ない、所定箇所にグリスを供給する。このとき、吸入口１１側内部に弾性リング１５が嵌着されているので、ピストン２０の進退動時に、ピストン２０が弾性リング１５に摺動し、ピストン２０と弾性リング１５とでシリンダ室１３をシールするようになり、そのため、シリンダ室１３内のグリスが吸入口１１から漏れ出る事態を防止することができる。また、一つの板状部材３１に複数のピストン２０が付帯されているので、複数のピストン２０を一度に進退動させることができ、そのため、駆動部３０を簡易に構成することができる。
【００３０】
また、検知装置３６においては、ソレノイド３３の励磁，非励磁により、板状部材３１の進退動が検知される。この場合、検知装置３６が板状部材３１を介してピストン２０の進退動を毎回検知することになるので、例えば、このグリスポンプ装置Ｓが取り付けられる機械側の制御部やコントローラにおいて、グリスが吐出されていることを認知することができる。この場合、複数のピストン２０が一つの板状部材３１に付帯されているので、一つの板状部材３１の進退動動作を検知することにより、全てのピストン２０の検知を一度に行なうことができる。
また、例えば、このグリスポンプ装置Ｓが取り付けられる機械側の制御部やコントローラにおいて、この検知信号を計数し、例えば、グリスの総吐出量やグリスタンクＴ内のグリスの残量を認知することができる。
【００３１】
次に、複数の連通口部４のうち、所定数の連通口部４からグリスを吐出させる場合について説明する。例えば、６つの連通口部４のうち、４つの連通口部４からグリスを吐出させ、２つの連通口部４を使用しない場合について説明する。
【００３２】
この場合、２つの吐出部１０の代わりに２つの閉塞体４０を取り付ける。詳しくは、図７に示すように、２つの吐出部１０をベース体１の連通口部４から取り外し、この２つの連通口部４の雌ネジ８に、各閉塞体４０の雄ネジ４３を螺合させて取り付ける。取り付けは、頭部４２を六角レンチで回すことにより行なう。このとき、ピストン２０はベース体１側に支持されているので、吐出部本体１４とピストン２０とが別体となり、そのため、吐出部本体１４と閉塞体４０との交換が容易になる。そして、上記と同様に駆動部３０により、ピストン２０を進退動させると、吐出部１０の吐出口１２からのみグリスが吐出され、閉塞体４０からはグリスが吐出されないようになる。このとき、閉塞体４０に対応するピストン２０は、図７（Ｂ）に示すように、閉塞体４０の凹所４１内で遊動するようになる。従って、グリスが吐出されなくても、ピストン２０は進退動することができ、そのため、装置が故障する等の事態を防止することができる。
このように、吐出部１０と閉塞体４０とをベース体１に交換可能にしたので、吐出部１０が所望の数だけ使用できるようになり、そのため、汎用性が向上する。
【００３３】
尚、上記実施の形態においては、ピストン２０をベース体１側に設け、ピストン２０と吐出部１０とを別体にしたが、図８に示すように、ピストン２０を吐出部１０に設けて一体にしても良い。この場合、ピストン２０を、その軸線２１が収容室２を貫通するように吐出部本体１４に形成した摺動孔１８に移動可能に支持させ、駆動部３０により、板状部材３１がピストン２０の進出方向に移動したとき、この板状部材３１によりピストン２０は押圧されて進出し、シリンダ室１３内のグリスを押し出して吐出させる。また、内装したスプリング１９によりピストン２０を退出させてシリンダ室１３内にグリスを収納させる。
【００３４】
尚また、上記実施の形態において、吐出部１０とピストン２０との組を６組備えて構成したが、必ずしもこれに限定されるものではなく、何組でも良く、適宜変更して差支えない。
また、上記実施の形態において、収容室２を略逆Ｕ字形に形成したが、必ずしもこれに限定されるものではなく、各吸入口１１及びグリスタンクＴと連通していれば良く、適宜変更して差支えない。
更に、上記実施の形態において、板状部材３１を円盤状に形成したが、必ずしもこれに限定されるものではなく、どのような形状でも良く、適宜変更して差支えない。
更にまた、上記実施の形態において、検知装置３６をリミットスイッチで構成したが、必ずしもこれに限定されるものではない。
【図面の簡単な説明】
【００３５】
【図１】本発明の実施の形態に係るグリスポンプ装置を示す側面図である。
【図２】本発明の実施の形態に係るグリスポンプ装置を示す図１中Ａ−Ａ断面図である。
【図３】本発明の実施の形態に係るグリスポンプ装置を示す正面図である。
【図４】本発明の実施の形態に係る吐出部を示し、（Ａ）は側面断面図、（Ｂ）は斜視図である。
【図５】本発明の実施の形態に係る閉塞体を示し、（Ａ）は側面断面図、（Ｂ）は斜視図である。
【図６】本発明の実施の形態に係るグリスポンプ装置を示し、（Ａ）はピストンを退出させた状態、（Ｂ）はピストンを進出させた状態を示す断面図である。
【図７】本発明の実施の形態に係るグリスポンプ装置の吐出部及び閉塞体を取り付けた状態を示し、（Ａ）はピストンを退出させた状態、（Ｂ）はピストンを進出させた状態を示す断面図である。
【図８】ピストンを吐出部に設けて一体に形成したグリスポンプ装置を示す断面図である。
【図９】従来のグリスポンプ装置の一例を示す図である。
【符号の説明】
【００３６】
Ｓ  グリスポンプ装置
Ｔ  グリスタンク
１  ベース体
２  収容室
３  一側面
４  連通口部
５  他側面
６  摺動孔
７  上面
８  雌ネジ
１０  吐出部
１１  吸入口
１２  吐出口
１３  シリンダ室
１４  吐出部本体
１５  弾性リング
１６  チェック弁
１６ａ  弁体
１６ｂ  スプリング
１７  雄ネジ
１８  摺動孔
１９  スプリング
２０  ピストン
２１  軸線
２２  先端
２３  基端
３０  駆動部
３１  板状部材
３１ａ  一方面
３２  スプリング
３３  ソレノイド
３３ａ  固定板
３４  容器
３５  仲介部材
３６  検知装置
４０  閉塞体
４１  凹所
４２  頭部
４３  雄ネジ
５０  容器本体
５１  取付口部
５２  カバー
【図１】
2010065619.tif 000003
【図２】
2010065619.tif 000004
【図３】
2010065619.tif 000005
【図４】
2010065619.tif 000006
【図５】
2010065619.tif 000007
【図６】
2010065619.tif 000008
【図７】
2010065619.tif 000009
【図８】
2010065619.tif 000010
【図９】
2010065619.tif 000011